(57)【要約】【課題】導体との距離に応じた所望の通信特性が得られるアンテナ装置、及び、電子機器を提供する。【解決手段】アンテナ装置は、給電される第１端部及び第２端部を有し、通信周波数における波長のＮ（Ｎは１以上の整数）倍に対応する第１長さを有する第１ループアンテナと、前記波長のＮ倍に対応する第２長さを有する第２ループアンテナと、前記第１ループアンテナの前記第１端部から前記通信周波数における四半波長のＭ（Ｍは１以上の整数）倍に対応する第３長さの位置において、前記第１ループアンテナと前記第２ループアンテナとを接続する第１接続導体と、前記第１ループアンテナの前記第２端部から前記第３長さの前記第１接続導体とは異なる位置において、前記第１ループアンテナと前記第２ループアンテナとを接続する第２接続導体とを含む。【選択図】図１
2018201080.tif 000002
【特許請求の範囲】
【請求項１】
給電される第１端部及び第２端部を有し、通信周波数における波長のＮ（Ｎは１以上の整数）倍に対応する第１長さを有する第１ループアンテナと、
前記波長のＮ倍に対応する第２長さを有する第２ループアンテナと、
前記第１ループアンテナの前記第１端部から前記通信周波数における四半波長のＭ（Ｍは１以上の整数）倍に対応する第３長さの位置において、前記第１ループアンテナと前記第２ループアンテナとを接続する第１接続導体と、
前記第１ループアンテナの前記第２端部から前記第３長さの前記第１接続導体とは異なる位置において、前記第１ループアンテナと前記第２ループアンテナとを接続する第２接続導体と
を含む、アンテナ装置。
【請求項２】
前記第１ループアンテナと前記第２ループアンテナとは、近接して配置される、請求項１記載のアンテナ装置。
【請求項３】
前記第１ループアンテナ及び前記第２ループアンテナは、中心同士を合わせて配置される、請求項１又は２記載のアンテナ装置。
【請求項４】
前記第１ループアンテナ及び前記第２ループアンテナは、同一平面上に配置され、前記第１ループアンテナは、前記第２ループアンテナよりも外側又は内側に配設される、請求項１乃至３のいずれか一項記載のアンテナ装置。
【請求項５】
前記第１ループアンテナ及び前記第２ループアンテナは、互いに平行な２つの平面上にそれぞれ配置される、請求項１乃至３のいずれか一項記載のアンテナ装置。
【請求項６】
前記第１長さは、前記第２長さと等しい、請求項５記載のアンテナ装置。
【請求項７】
前記第２ループアンテナ及び前記第１接続導体を接続する第１接続点と、前記第２ループアンテナ及び前記第２接続導体を接続する第２接続点とは、前記第１端部及び前記第２端部の中点と、前記第１ループアンテナの中心とを通る直線を対称軸として線対称な位置に配置される、請求項１乃至６のいずれか一項記載のアンテナ装置。
【請求項８】
アンテナ装置と、
情報を取得する情報取得部と、
前記アンテナ装置を通じてネットワーク経由で他の装置と通信し、前記情報取得部によって取得された情報を前記他の装置に送信する通信部と
を含む電子機器であって、
前記アンテナ装置は、
給電される第１端部及び第２端部を有し、通信周波数における波長のＮ（Ｎは１以上の整数）倍に対応する第１長さを有する第１ループアンテナと、
前記波長のＮ倍に対応する第２長さを有する第２ループアンテナと、
前記第１ループアンテナの前記第１端部から前記通信周波数における四半波長のＭ（Ｍは１以上の整数）倍に対応する第３長さの位置において、前記第１ループアンテナと前記第２ループアンテナとを接続する第１接続導体と、
前記第１ループアンテナの前記第２端部から前記第３長さの前記第１接続導体とは異なる位置において、前記第１ループアンテナと前記第２ループアンテナとを接続する第２接続導体と
を有する、電子機器。
【発明の詳細な説明】
【技術分野】
【０００１】
本発明は、アンテナ装置、及び、電子機器に関する。
【背景技術】
【０００２】
従来より、絶縁面上に多重ループを成すように設けられていると共に、共通給電点に並列接続されている複数のループ状アンテナ導体と、各ループ状アンテナ導体を上記並列接続以外の位置において短絡結合する短絡線とを具備する広帯域ループアンテナ（アンテナ装置）がある（例えば、特許文献１参照）。
【先行技術文献】
【特許文献】
【０００３】
【特許文献１】特開平０３−１１４３０３号公報
【発明の概要】
【発明が解決しようとする課題】
【０００４】
上述のように、従来のアンテナ装置は、複数のループ状アンテナ導体に共通給電点から給電を行うことによって広帯域化を図るものであり、アンテナ装置が導体に近づいたときにおける放射特性の劣化を抑制するものではない。また、従来のアンテナ装置は、アンテナ装置が導体に近づいたときに限らず、導体との距離に応じて所望の通信特性が得られるように放射特性を設定するものではない。
【０００５】
そこで、導体との距離に応じた所望の通信特性が得られるアンテナ装置、及び、電子機器を提供することを目的とする。
【課題を解決するための手段】
【０００６】
本発明の実施の形態のアンテナ装置は、給電される第１端部及び第２端部を有し、通信周波数における波長のＮ（Ｎは１以上の整数）倍に対応する第１長さを有する第１ループアンテナと、前記波長のＮ倍に対応する第２長さを有する第２ループアンテナと、前記第１ループアンテナの前記第１端部から前記通信周波数における四半波長のＭ（Ｍは１以上の整数）倍に対応する第３長さの位置において、前記第１ループアンテナと前記第２ループアンテナとを接続する第１接続導体と、前記第１ループアンテナの前記第２端部から前記第３長さの前記第１接続導体とは異なる位置において、前記第１ループアンテナと前記第２ループアンテナとを接続する第２接続導体とを含む。
【発明の効果】
【０００７】
導体との距離に応じた所望の通信特性が得られるアンテナ装置、及び、電子機器を提供することができる。
【図面の簡単な説明】
【０００８】
【図１】実施の形態のアンテナ装置１００を示す図である。
【図２】実施の形態のアンテナ装置１００を示す図である。
【図３】アンテナ装置１００に生じる電流の向きを示す図である。
【図４】アンテナ装置１００のシミュレーション結果を示す図である。
【図５】アンテナ装置１００のシミュレーション結果を示す図である。
【図６】アンテナ装置１００のトータル効率のシミュレーション結果を示す図である。
【図７】アンテナ装置１００Ａを示す図である。
【図８】アンテナ装置１００Ａを示す図である。
【図９】アンテナ装置１００Ｂを示す図である。
【図１０】アンテナ装置１００Ｂを示す図である。
【図１１】アンテナ装置１００Ａの動作利得を示す図である。
【図１２】アンテナ装置１００Ｂの動作利得を示す図である。
【図１３】アンテナ装置１００Ｂの他の形態を示す図である。
【図１４】図１３に示すアンテナ装置１００ＢのＳ１１パラメータの周波数特性のシミュレーション結果を示す図である。
【図１５】図１３に示すアンテナ装置１００Ｂの動作利得（ｄＢｉ）を示す図である。
【図１６】アンテナ装置１００Ｃを示す図である。
【図１７】アンテナ装置１００Ｃのトータル効率のシミュレーション結果を示す図である。
【図１８】アンテナ装置１００Ｃの動作利得のシミュレーション結果を示す図である。
【図１９】アンテナ装置１００Ｃの端部１１１Ｃ及び１１２Ｃと端部１１３Ｃ及び１１４Ｃを拡大して示す図である。
【図２０】アンテナ装置１００Ｃのトータル効率のシミュレーション結果を示す図である。
【図２１】アンテナ装置１００Ｃの動作利得のシミュレーション結果を示す図である。
【図２２】実施の形態の変形例のアンテナ装置１００Ｄを示す図である。
【図２３】アンテナ装置１００Ｄのトータル効率のシミュレーション結果を示す図である。
【図２４】アンテナ装置１００Ｄの動作利得のシミュレーション結果を示す図である。
【図２５】アンテナ装置１００Ｃのトータル効率のシミュレーション結果を示す図である。
【図２６】アンテナ装置１００Ｃの動作利得のシミュレーション結果を示す図である。
【図２７】実施の形態の変形例のアンテナ装置１００Ｅを示す図である。
【図２８】実施の形態の変形例のアンテナ装置１００Ｆを示す図である。
【図２９】実施の形態の変形例のアンテナ装置１００Ｇを示す図である。
【図３０】実施の形態の変形例のアンテナ装置１００Ｈを示す図である。
【図３１】電子機器５００を示す図である。
【発明を実施するための形態】
【０００９】
以下、本発明のアンテナ装置、及び、電子機器を適用した実施の形態について説明する。
【００１０】
＜実施の形態＞
図１及び図２は、実施の形態のアンテナ装置１００を示す図である。図１には平面図（右）と拡大図（左）を示し、図２には斜視図を示す。以下では、ＸＹＺ座標系を用いて説明する。また、平面視とはＸＹ平面視をいう。
【００１１】
アンテナ装置１００は、一例として、通信周波数（共振周波数）が２．４ＧＨｚのアンテナ装置であり、例えば、ＩｏＴ(Internet  Of  Things)用のセンサデバイスに取り付けられて、センサデバイスで検出された様々な情報等を他のアンテナ装置１００又はサーバ等に伝送するために用いることができる。このようなセンサデバイスは、導体（金属導体又は金属以外の導体）の近く、又は、不導体（絶縁体）の近く等の様々な場所に設置される可能性がある。
【００１２】
以下では、導体の近くに設置されても所望の放射特性を有し、良好な通信特性を発揮するアンテナ装置１００について説明する。以下では、導体が特に金属である場合について主体的に説明するが、導体は金属に限られない。また、導体の近くに限らず、導体から離れた場所に設置されても所望の射特性を有し、良好な通信特性を発揮するアンテナ装置１００等についても説明する。
【００１３】
アンテナ装置１００は、基板１０１、ループアンテナ１１０、１２０、接続部１３０、１４０、及び整合回路１５０を含む。基板１０１、ループアンテナ１１０、１２０、接続部１３０、１４０、及び整合回路１５０は、基板１０１のＺ軸正方向側の表面１０１Ａに設けられている。なお、整合回路１５０は、図１の左側の拡大図のみに示す。
【００１４】
基板１０１は、絶縁体製の基板であればよく、例えば、ＦＲ４(Flame  Retardant  type  4)規格の配線基板用の絶縁層、又は、ポリイミド等のようなフレキシブル基板を用いることができる。ここでは一例として、ＦＲ４規格の配線基板用の絶縁層を用いる場合について説明する。
【００１５】
ＦＲ４規格の配線基板用の絶縁層を基板１０１として用いる場合には、ループアンテナ１１０、１２０、及び接続部１３０、１４０は、基板１０１の表面１０１Ａに設けられる銅箔をエッチング処理によってパターニングすることによって作製することができる。なお、一例として、基板１０１のＸ軸方向及びＹ軸方向の長さは、５１ｍｍである。
【００１６】
ループアンテナ１１０は、２つの端部１１１、１１２を有し、端部１１１、１１２を両端とする平面視で円形のループアンテナである。一例として、ループアンテナ１１０の直径は、４３ｍｍであり、ループアンテナ１１０の線幅は１ｍｍである。
【００１７】
また、ループアンテナ１１０は、端部１１２の近くに、整合回路１５０を直列に挿入するための端部１１３及び１１４を有する。ループアンテナ１１０は、端部１１３及び１１４の間で途切れており、整合回路１５０によって接続されている。ループアンテナ１１０は、第１ループアンテナの一例である。
【００１８】
ループアンテナ１１０は、接続部１３０、１４０を介してループアンテナ１２０に接続されている。ループアンテナ１１０の端部１１１から端部１１２までの長さは、通信周波数（２．４ＧＨｚ）における１波長の電気長に対応する長さに設定されている。ループアンテナ１１０の長さは、第１長さの一例である。
【００１９】
１波長の電気長に対応する長さとは、１波長の電気長と等しい長さに限らず、ループアンテナ１１０のインピーダンスを調整するために、１波長の電気長よりも少し短く又は長く設定される長さを含む意味である。
【００２０】
ループアンテナ１１０は、端部１１１、１１２において給電される。例えば、同軸ケーブルを用いて給電する場合には、端部１１１、１１２の一方に芯線を接続し、他方にシールド線を接続することになる。このようにして端部１１１、１１２に２．４ＧＨｚの交流電源を接続してループアンテナ１１０に給電を行う。ループアンテナ１１０を給電すると、ループアンテナ１２０にも電流が流れる。
【００２１】
ループアンテナ１２０は、平面視でループアンテナ１１０の内側に設けられており、端部を有しない円周状のループアンテナである。ループアンテナ１２０は、平面視でループアンテナ１１０と中心１０２を合わせた状態で同心円状に設けられている。一例として、ループアンテナ１２０の直径は、３７ｍｍであり、ループアンテナ１２０の線幅は１ｍｍである。ループアンテナ１２０は、第２ループアンテナの一例である。
【００２２】
ループアンテナ１２０の円周状に沿った長さは、通信周波数（２．４ＧＨｚ）における１波長の電気長に対応する長さに設定されている。ループアンテナ１２０の長さは、第２長さの一例である。
【００２３】
１波長の電気長に対応する長さの意味は、ループアンテナ１１０のものと同様である。ループアンテナ１２０は、ループアンテナ１１０の内側に同心円状に配置されているため、ループアンテナ１２０の長さは、ループアンテナ１１０の長さよりも短いが、両方とも通信周波数（２．４ＧＨｚ）における１波長の電気長に対応する長さである。
【００２４】
ループアンテナ１２０は、接続部１３０、１４０を介してループアンテナ１１０に接続されている。ループアンテナ１１０が給電されて電流が流れると、ループアンテナ１２０にも電流が流れる。
【００２５】
接続部１３０は、ループアンテナ１１０の接続点１１５と、ループアンテナ１２０の接続点１２１とを接続する。また、接続部１４０は、ループアンテナ１１０の接続点１１６と、ループアンテナ１２０の接続点１２２とを接続する。接続点１１５及び１１６は、それぞれ、端部１１１、１１２から通信周波数（２．４ＧＨｚ）における四半波長の電気長に対応する長さの位置にある。また、接続部１３０、１４０は、Ｙ軸に沿って伸延している。
【００２６】
また、接続点１２１及び１２２は、ループアンテナ１２０の半周分離れており、Ｘ軸方向における位置は、接続点１１５及び１１６と等しい。接続点１２１及び１２２は、端部１１１、１１２の中点と、ループアンテナ１１０の中心１０２（図１参照）とを通る直線を対称軸として、線対称な位置に配置される。接続点１２１及び１２２は、それぞれ、第１接続点及び第２接続点の一例である。また、一例として、接続部１３０、１４０の長さは２ｍｍである。接続部１３０は第１接続導体の一例であり、接続部１４０は第２接続導体の一例である。
【００２７】
ループアンテナ１１０及び１２０は、ともに通信周波数（２．４ＧＨｚ）における１波長の電気長に対応する長さを有するため、ループアンテナ１１０及び１２０の物理的なループ長の差は小さい。また、ループアンテナ１１０及び１２０は、同心円状に配置される。従って、接続部１３０、１４０の長さは短く、ループアンテナ１１０及び１２０は、径方向に互いに近接配置される。
【００２８】
接続部１３０、１４０の長さは、ループアンテナ１１０に流れる電流の向きと、ループアンテナ１２０に流れる電流の向きとを合わせることができる程度に短い長さに設定すればよい。接続部１３０、１４０の長さが長すぎると、ループアンテナ１１０及び１２０の電流の向きを合わせることができなくなる。ループアンテナ１１０及び１２０の電流の向きを合わせるとは、ループアンテナ１１０及び１２０に流れる電流の方向及び位相が一致していることをいう。
【００２９】
ループアンテナ１１０及び１２０は、ともに通信周波数（２．４ＧＨｚ）における１波長の電気長に対応する長さを有し、ループアンテナ１１０は、端部１１１、１１２で給電される。また、接続点１１５及び１１６は、それぞれ、端部１１１、１１２から通信周波数（２．４ＧＨｚ）における四半波長の電気長に対応する長さの位置にある。
【００３０】
このため、ループアンテナ１１０には、２．４ＧＨｚにおける共振による定在波の節が接続点１１５及び１１６に生じ、腹が端部１１１、１１２と対応点１１７に生じる。対応点１１７は、端部１１１及び１１２から半波長の電気長の位置であり、接続点１１５、１１６の中点である。定在波の節では電圧が最大で電流が最小になり、腹では電流が最大で電圧が最小になる。
【００３１】
すなわち、ループアンテナ１２０は、接続部１３０、１４０によって、ループアンテナ１１０に節が生じる位置に接続されている。このため、ループアンテナ１２０にも２．４ＧＨｚにおける共振による定在波が生じ、接続部１３０、１４０に接続される接続点１２１、１２２に定在波の節が生じ、対応点１２３、１２４に腹が生じる。対応点１２３、１２４は、接続点１２１及び１２２の中点であり、それぞれ、ループアンテナ１１０の給電点（端部１１１、１１２）、対応点１１７に対応する位置にある点である。
【００３２】
整合回路１５０は、キャパシタ及び／又はインダクタのチップであり、ループアンテナ１１０のインピーダンスを調整するために設けられている。ここでは、一例として、０．１ｐＦのキャパシタチップを端部１１３及び１１４の間に直列に挿入する形態について説明するが、インダクタチップを用いてもよいし、インダクタチップ及びキャパシタチップの両方を用いてもよい。これらのインピーダンス整合用のチップは、端部１１３及び１１４の間に直列に挿入する代わりに、又は、これに加えて、端部１１１、１１２の間に渡して設けてもよい。
【００３３】
図３は、アンテナ装置１００に生じる電流の向きを示す図である。図３では、基板１０１を省略し、矢印で電流の向きを示す。電流は、ループアンテナ１１０では、接続点１１５から接続点１１６に向かって流れ、このときにループアンテナ１２０では、接続点１２１から接続点１２２に向かって流れる。
【００３４】
一例として、図３に示す電流の向きは、端部１１１、１１２（給電点）と、対応点１１７とに生じる電流の定在波の腹の振幅が最大になったタイミングのものであることとすると、位相が１８０度異なるタイミングでは、電流の向きは逆になる。
【００３５】
このように、接続部１３０、１４０から見て、ループアンテナ１１０と１２０には、同一方向に電流が流れる。同一方向とは、ループアンテナ１１０において接続点１１５から端部１１１、１１２を経て接続点１１６に向かって電流が流れる方向と、ループアンテナ１２０において接続点１２１から対応点１２３を経て接続点１２２に向かって電流が流れる方向とが同じであることをいう。また、ループアンテナ１１０において接続点１１５から対応点１１７を経て接続点１１６に向かって電流が流れる方向と、ループアンテナ１２０において接続点１２１から対応点１２４を経て接続点１２２に向かって電流が流れる方向とが同じであることをいう。
【００３６】
このため、アンテナ装置１００では、ループアンテナ１１０及び１２０に流れる電流によって放射される電磁波が合成されて放射が増大し、良好な放射特性が得られ、通信特性が良好になることと考えられる。なお、シミュレーションで電流の向きを確認したところ、図３と同一の結果が得られた。
【００３７】
図４及び図５は、アンテナ装置１００のシミュレーション結果を示す図である。図４には、アンテナ装置１００と金属導体との距離に対するトータル効率（ｄＢ）の特性を示し、図５には、アンテナ装置１００と金属導体との距離に対する動作利得（ｄＢｉ）の特性を示す。ここでの動作利得とは、3次元放射パターンの最大動作利得を指す。なお、横軸の距離（波長規格）は、２．４ＧＨｚにおける１波長の電気長で規格化（距離を電気長で除算）した値で示す。
【００３８】
また、図４及び図５には、比較用に、通信周波数が２．４ＧＨｚのダイポールアンテナ(Dipole)及びループアンテナ(Loop)の金属導体との距離に対するトータル効率の特性のシミュレーション結果を示す。アンテナ装置１００の特性を菱形のデータ点で示し、ダイポールアンテナ及びループアンテナの特性を四角形及び三角形のデータ点でそれぞれ示す。
【００３９】
図４に示すように、ダイポールアンテナ及びループアンテナのトータル効率は、距離が１から１／３２辺りまでは−１０（ｄＢ）以上で良好な値を示すが、距離が１／３２よりも短くなると−１０（ｄＢ）未満になり、良好な通信特性が得られなくなる傾向がある。
【００４０】
これに対して、アンテナ装置１００のトータル効率は、距離が１から１／１２８までの略全体にわたって−１０（ｄＢ）以上で良好な値を示している。距離が１／２のときに−１０（ｄＢ）を下回るが、−１１（ｄＢ）程度であり、問題のない値が得られている。
【００４１】
また、図５に示す動作利得については、ダイポールアンテナ及びループアンテナでは、距離が１から１／６４辺りまでは−５（ｄＢｉ）以上で良好な値を示すが、距離が１／６４よりも短くなると−５（ｄＢｉ）未満になり、良好な通信特性が得られなくなる傾向がある。
【００４２】
これに対して、アンテナ装置１００の動作利得は、距離が１から１／１２８までの全体にわたって−５（ｄＢｉ）以上で良好な値が得られており、良好な通信特性が得られることが分かる。
【００４３】
図６は、アンテナ装置１００から基板１０１を取り除いたときのトータル効率のシミュレーション結果を示す図である。図６には、アンテナ装置１００の整合回路１５０を端部１１３及び１１４の間においてループアンテナ１１０に直列に挿入される０．２ｐＦのキャパシタチップと、端部１１１及び１１２の間においてループアンテナ１１０に並列に挿入される０．３ｐＦのキャパシタチップとを含む構成にした場合におけるトータル効率（ｄＢ）の金属導体との距離に対する特性を示す。なお、図４及び図５と同様に、横軸の距離は、２．４ＧＨｚにおける１波長の電気長で規格化（距離を電気長で除算）してある。
【００４４】
また、図６には、比較用に、通信周波数が２．４ＧＨｚのダイポールアンテナ(Dipole)及びループアンテナ(Loop)の金属導体との距離に対するトータル効率の特性のシミュレーション結果を示す。アンテナ装置１００の特性を菱形のデータ点で示し、ダイポールアンテナ及びループアンテナの特性を四角形及び三角形のデータ点でそれぞれ示す。比較用のダイポールアンテナ及びループアンテナの特性は、図４と同様である。
【００４５】
ダイポールアンテナ及びループアンテナのトータル効率は、距離が１／３２よりも短くなると、良好ではなくなるのに対して、アンテナ装置１００のトータル効率は、距離が１から１／１２８までの全体にわたって−１０（ｄＢ）以上で良好な値が得られている。
【００４６】
図７乃至図１０は、アンテナ装置１００Ａ、１００Ｂを示す図である。アンテナ装置１００Ａ、１００Ｂは、アンテナ装置１００から基板１０１と整合回路１５０を取り除き、端部１１３及び１１４の間を０Ω抵抗で接続した構成を有する。アンテナ装置１００Ａ、１００Ｂの違いは、湾曲させているか否かである。図７、図９には、ＸＹ平面視におけるアンテナ装置１００Ａ、１００Ｂをそれぞれ示し、図８、図１０には、ＹＺ面視におけるアンテナ装置１００Ａ、１００Ｂをそれぞれ示す。
【００４７】
図７及び図８に示すように、アンテナ装置１００Ａは、ＸＹ平面に平行なシート状のアンテナ装置である。また、図９及び図１０に示すように、アンテナ装置１００Ｂは、Ｘ軸の周りに湾曲されたシート状のアンテナ装置である。例えば、ループアンテナ１１０、１２０、接続部１３０、１４０がフレキシブル基板に設けられている場合、又は、円筒状の部材の外周面に設けられている場合には、アンテナ装置１００Ｂのように湾曲される場合がある。
【００４８】
図１１及び図１２は、アンテナ装置１００Ａ、１００Ｂの指向性をそれぞれ示す図である。図１１及び図１２は、図８及び図１０に示すようにアンテナ装置１００Ａ、１００ＢをＸ軸負方向側からＹＺ面視した状態での指向性を示す。ここでは、指向性を動作利得で表す。なお、アンテナ装置１００Ａ、１００Ｂは、整合回路１５０（図１参照）を含まない。このため、図１に示す端部１１３及び１１４の間は０Ω抵抗で接続されている。
【００４９】
図１１に示すように、アンテナ装置１００Ａの動作利得は、９０度方向にヌル点のように低下する点があるが、０度側及び１８０度側において指向性が対称であり、０度方向及び１８０度方向において、約−２．５ｄＢｉの良好な値が得られている。
【００５０】
また、図１２に示すように、アンテナ装置１００Ｂの指向性は、９０度方向の動作利得がアンテナ装置１００Ａに比べて改善され、０度側及び１８０度側において指向性が対称であり、０度方向及び１８０度方向において、約０ｄＢｉの良好な値が得られている。
【００５１】
図１３は、アンテナ装置１００Ｂの他の形態を示す図である。図１３では、アンテナ装置１００Ｂは、金属製の円筒状の部材１６０の外周部に貼り付けられている。この部材は、３５０ｍｌ用の金属缶に相当し、直径が６６ｍｍ、高さが１２２ｍｍである。
【００５２】
図１４は、図１３に示すアンテナ装置１００ＢのＳ１１パラメータの周波数特性のシミュレーション結果を示す図である。図１５は、図１３に示すアンテナ装置１００Ｂの動作利得（ｄＢｉ）を示す図であり、図１０に示すようにアンテナ装置をＸ軸負方向側からＹＺ面視した状態での指向性を示す。
【００５３】
図１４に示すように、通信周波数（２．４ＧＨｚ）において約−３．５ｄＢであり、反射が少なく良好な放射特性が得られていることが確認できた。また、図１５では、図１２と同様にアンテナ装置１００Ｂは位置しているため、０度方向の動作利得は低いが、アンテナ装置１００Ｂの中心が金属缶の外側を向く１８０度方向では、−５．９ｄＢｉの動作利得が得られており、例えば、屋内で利用する場合のように、通信距離がそれほど長くない場合であれば、十分に使用できるレベルの動作利得が得られることが分かった。
【００５４】
図１６は、アンテナ装置１００Ｃを示す図である。アンテナ装置１００Ｃは、ループアンテナ１１０Ｃ、１２０Ｃ、及び接続部１３０Ｃ、１４０Ｃを示す。アンテナ装置１００Ｃでは、ループアンテナ１１０Ｃは、平面視でループアンテナ１２０Ｃの内側に位置しており、給電点になる端部１１１Ｃ及び１１２Ｃは、ループアンテナ１１０Ｃの内側に位置し、中心方向を向いている。
【００５５】
このように、アンテナ装置１００Ｃは、図１及び図７に示すアンテナ装置１００及び１００Ａと比べると、ループアンテナ１１０と１２０の位置を入れ替え、端部１１１、１１２を径方向内側に引き出した構成を有する。このため、同様の構成要素に添え字Ｃを付す。なお、図１６では整合回路１５０を省略するが、端部１１３Ｃ及び１１４Ｃの間に接続可能であり、端部１１１Ｃ及び１１２Ｃの間に接続してもよい。
【００５６】
図１７は、アンテナ装置１００Ｃのトータル効率のシミュレーション結果を示す図である。図１８は、アンテナ装置１００Ｃの動作利得のシミュレーション結果を示す図である。図１７及び図１８の横軸及び縦軸は、それぞれ、図４及び図５と同様である。また、図１７及び図１８には、比較用に、通信周波数が２．４ＧＨｚのダイポールアンテナ(Dipole)、ループアンテナ(Loop)、及びアンテナ装置１００（図１及び図７参照）の金属導体との距離に対するトータル効率の特性のシミュレーション結果を示す。
【００５７】
アンテナ装置１００Ｃの特性を＊のデータ点で示し、アンテナ装置１００の特性を菱形のデータ点で示し、ダイポールアンテナ及びループアンテナの特性を四角形及び三角形のデータ点でそれぞれ示す。比較用のダイポールアンテナ、ループアンテナ、及びアンテナ装置１００の特性は、図４と同様である。
【００５８】
図１７に示すように、アンテナ装置１００Ｃのトータル効率は、アンテナ装置１００のトータル効率と略同様であり、距離が１から１／１２８までの略全体にわたって−１０（ｄＢ）以上の良好な値が得られている。
【００５９】
また、図１８に示すように、アンテナ装置１００Ｃの動作利得は、アンテナ装置１００の動作利得と略同様であり、距離が１から１／１２８までの全体にわたって−５（ｄＢｉ）以上の良好な値が得られている。
【００６０】
このため、内側のループアンテナ１１０Ｃの端部１１１Ｃ及び１１２Ｃを給電点とするアンテナ装置１００Ｃは、外側のループアンテナ１１０の端部１１１及び１１２を給電点とするアンテナ装置１００（図１及び図７参照）と同様に取り扱得ることが分かった。
【００６１】
図１９は、アンテナ装置１００Ｃの端部１１１Ｃ及び１１２Ｃと端部１１３Ｃ及び１１４Ｃを拡大して示す図である。ループアンテナ１１０Ｃの円周の部分から端部１１２Ｃに向かってＸ軸方向に折り曲げられる部分を折り曲げ部１１８Ｃと称す。
【００６２】
ループアンテナ１１０Ｃには、整合回路１５１、１５２、１５３を取り付けてインピーダンスを調整することができる。整合回路１５１は、端部１１３Ｃ及び１１４Ｃの間に接続することによって、ループアンテナ１１０に直列に挿入することができる。整合回路１５２は、端部１１１Ｃ及び１１１Ｃの間に接続することによって、ループアンテナ１１０に並列に挿入することができる。整合回路１５３は、端部１１４Ｃ及び折り曲げ部１１８Ｃの間に接続することによって、ループアンテナ１１０に並列に挿入することができる。
【００６３】
図２０は、アンテナ装置１００Ｃのトータル効率のシミュレーション結果を示す図である。図２１は、アンテナ装置１００Ｃの動作利得のシミュレーション結果を示す図である。図２０及び図２１の横軸及び縦軸は、それぞれ、図４及び図５と同様である。
【００６４】
ここでは、金属導体から離れた空気中で通信特性が良好なアンテナ装置１００Ｃ（１００Ｃ１と称す）と、金属導体の近くと金属導体から離れた空気中との両方で通信特性が良好なアンテナ装置１００Ｃ（１００Ｃ２と称す）と、金属導体の近くで通信特性が良好なアンテナ装置１００Ｃ（１００Ｃ３と称す）とについて説明する。
【００６５】
このようなアンテナ装置１００Ｃ１、１００Ｃ２、１００Ｃ３は、整合回路１５１、１５２、１５３を様々な形式のものに設定することによって実現することができる。アンテナ装置１００Ｃ１は、整合回路１５１として０．３ｐＦのキャパシタチップを用い、整合回路１５３として９．４ｎＨのインダクタチップを用いる。
【００６６】
また、アンテナ装置１００Ｃ２は、整合回路１５１として２．５ｐＦのキャパシタチップを用い、整合回路１５３として１．４ｐＦのキャパシタチップを用いる。アンテナ装置１００Ｃ３は、整合回路１５１として３．１ｐＦのキャパシタチップを用い、整合回路１５３として２．９ｐＦのキャパシタチップを用いる。
【００６７】
図２０に示すように、アンテナ装置１００Ｃ１は、金属導体との距離が１から１／８の場合に、楕円の破線で囲んで示すように、トータル効率が０（ｄＢ）から−２．５（ｄＢ）の良好な値を示した。一方、金属導体との距離が１／８未満になると、トータル効率は−５（ｄＢ）よりも低くなった。このように、アンテナ装置１００Ｃ１は、金属導体から離れた空気中で通信特性が良好になるアンテナ装置であることが確認できた。
【００６８】
また、アンテナ装置１００Ｃ２は、金属導体との距離が１／１６から１／３２の場合に、トータル効率が０（ｄＢ）から−５（ｄＢ）以下の良好な値を示し、金属導体との距離が１／４から１／１６の場合と、１／６４から１／１２８の場合とで、トータル効率が−１０（ｄＢ）以下の値を示した。このように、アンテナ装置１００Ｃ２は、金属導体の近くと金属導体から離れた空気中との両方で通信特性が良好になるアンテナ装置であることが確認できた。
【００６９】
また、アンテナ装置１００Ｃ３は、金属導体との距離が１／１２８の場合に、破線の円で囲んで示すように、トータル効率が−５（ｄＢ）の良好な値を示した。また、金属導体との距離が１／６４の場合にも、約−５（ｄＢ）の良好な値を示し、さらに、金属導体との距離が１／１６から１／３２の場合に、トータル効率が約−７（ｄＢ）の比較的良好な値を示した。一方、金属導体との距離が１／１６以上になると、トータル効率は−５（ｄＢ）よりも低くなった。このように、アンテナ装置１００Ｃ３は、金属導体の近くで通信特性が良好になるアンテナ装置であることが確認できた。
【００７０】
また、図２１に示すように、アンテナ装置１００Ｃ１は、金属導体との距離が１から１／８の場合に、楕円の破線で囲んで示すように、動作利得が約７．５（ｄＢｉ）以上の良好な値を示した。一方、金属導体との距離が１／３２未満になると、動作利得は−５（ｄＢｉ）よりも低くなった。このように、アンテナ装置１００Ｃ１は、金属導体から離れた空気中で通信特性が良好になるアンテナ装置であることが確認できた。
【００７１】
また、アンテナ装置１００Ｃ２は、金属導体との距離が１から１／１２８の場合に、動作利得が−５（ｄＢｉ）以上の良好な値を示した。特に、金属導体との距離が１／８から１／１００の場合に、動作利得が０（ｄＢｉ）以上の良好な値を示した。このように、アンテナ装置１００Ｃ２は、金属導体の近くと金属導体から離れた空気中との両方で通信特性が良好になるアンテナ装置であることが確認できた。
【００７２】
また、アンテナ装置１００Ｃ３は、金属導体との距離が１／１２８の場合に、破線の円で囲んで示すように、動作利得が約４．５（ｄＢｉ）の良好な値を示した。また、金属導体との距離が１／６４の場合にも、約４（ｄＢｉ）の良好な値を示し、全体的に−５（ｄＢｉ）以上の比較的良好な値を示した。このように、アンテナ装置１００Ｃ３は、金属導体の近くで通信特性が良好になるアンテナ装置であることが確認できた。
【００７３】
図２２は、実施の形態の変形例のアンテナ装置１００Ｄを示す図である。アンテナ装置１００Ｄは、アンテナ装置１００Ｃ（図１６参照）を平面視で矩形状に変形したものであり、平面視で矩形（四角形）のループアンテナ１１０Ｄ、１２０Ｄを有する。ループアンテナ１１０Ｄは、ループアンテナ１２０Ｄの内側において、互いの中心を揃えて配設されている。ループアンテナ１１０Ｄは、給電点になる端部１１１Ｄ、１１２Ｄを有する。ループアンテナ１１０Ｄ、１２０Ｄは、接続部１３０Ｄ、１４０Ｄによって接続されている。なお、一例として、ループアンテナ１２０Ｄの一辺の長さは３５ｍｍである。
【００７４】
図２３は、アンテナ装置１００Ｄのトータル効率のシミュレーション結果を示す図である。図２４は、アンテナ装置１００Ｄの動作利得のシミュレーション結果を示す図である。図２３及び図２４の横軸及び縦軸は、それぞれ、図４及び図５と同様である。また、図２３及び図２４には、比較用に、アンテナ装置１００Ｃ（図１６参照）の金属導体との距離に対するトータル効率の特性のシミュレーション結果を示す。
【００７５】
アンテナ装置１００Ｄの特性を＊のデータ点で示し、アンテナ装置１００Ｃの特性を丸形のデータ点で示す。アンテナ装置１００Ｄのループアンテナ１１０Ｄには、２．３ｐＦのキャパシタチップを直列に挿入した。これは、図１における端部１１３及び１１４の間に挿入するのと同様である。また、ループアンテナ１１０Ｄには、端部１１１Ｄ及び１１２Ｄの間に、３．６ｎＨのインダクタチップを接続した。このインダクタチップは、ループアンテナ１１０Ｄに並列に接続される。
【００７６】
また、ここで用いるアンテナ装置１００Ｃのループアンテナ１１０Ｃには、２．５ｐＦのキャパシタチップを直列に挿入した。これは、図１における端部１１３及び１１４の間に挿入するのと同様である。また、ループアンテナ１１０Ｃには、端部１１１Ｃ及び１１２Ｃの間に、１．４ｐＦのキャパシタチップを接続した。このキャパシタチップは、ループアンテナ１１０Ｃに並列に接続される。
【００７７】
図２３に示すように、アンテナ装置１００Ｄのトータル効率は、アンテナ装置１００Ｃのトータル効率と略同様であり、距離が１から１／１２８までの略全体にわたって−１０（ｄＢ）以上の良好な値が得られている。
【００７８】
また、図２４に示すように、アンテナ装置１００Ｄの動作利得は、アンテナ装置１００Ｃの動作利得と略同様であり、距離が１から１／１２８までの全体にわたって−５（ｄＢｉ）以上の良好な値が得られている。
【００７９】
このため、矩形状のループアンテナ１１０Ｄ及び１２０Ｄを有するアンテナ装置１００Ｄは、円形のループアンテナ１１０Ｃ及び１２０Ｃを有するアンテナ装置１００Ｃと同様の放射特性を有し、良好な通信特性が得られることが分かった。なお、ここでは多角形の一例として矩形状（四角形）のループアンテナ１１０Ｄ及び１２０Ｄを有するアンテナ装置１００Ｄについて説明したが、ループアンテナ１１０Ｄ及び１２０Ｄは、中心同士を合わせるとともに、各辺が平行になるように配置される三角形であってもよく、五角形以上の多角形であってもよい。
【００８０】
図２５は、アンテナ装置１００Ｃのトータル効率のシミュレーション結果を示す図である。図２６は、アンテナ装置１００Ｃの動作利得のシミュレーション結果を示す図である。図２５及び図２６では、アンテナ装置１００Ｃと金属導体との間の距離を１／１２８よりもさらに近づけた場合のトータル効率及び動作利得を示す。
【００８１】
図２５に示すように、アンテナ装置１００Ｃのトータル効率は、距離が１から１／１８０までの略全体にわたって−１０（ｄＢ）以上の良好な値が得られているが、距離が１／１８０を超えると低下し、さらに１／２５０を超えると急激に低下し、１／６２５では約−２４ｄＢである。
【００８２】
また、図２６に示すように、アンテナ装置１００Ｃの動作利得は、トータル効率と略同様の傾向を示し、距離が１から１／２５０までの全体にわたって−５（ｄＢｉ）以上の良好な値を示すが、１／６２５では約−１５ｄＢｉまで低下している。
【００８３】
このため、円形状のループアンテナ１１０Ｃ及び１２０Ｃを有するアンテナ装置１００Ｃが金属導体に近づいた場合に、良好な通信特性が得られる限界は、波長で規格化した距離にして約１／２５０までである。
【００８４】
なお、２．４ＧＨｚの場合、真空中における１波長の長さは約１２５ｍｍであり、波長で規格化した距離の１／１２８は約０．９７ｍｍ、１／１８０は約０．７ｍｍ、１／２５０は約０．５ｍｍ、１／６２５は約０．２ｍｍである。このため、基板の厚さ、又は、ループアンテナ１１０Ｃ、１２０Ｃの上面（Ｚ軸正方向側）に設ける保護膜の厚さを良好な通信特性が得られる厚さに設定すればよい。
【００８５】
以上のように、実施の形態によれば、金属導体の近くに配置されても良好な通信特性が得られるアンテナ装置１００、１００Ａ、１００Ｂ、１００Ｃ、１００Ｃ２、１００Ｄを提供することができる。インピーダンスを調整するには、整合回路１５０のキャパシタ及び／又はインダクタの値を調整すればよい。
【００８６】
アンテナ装置１００Ｃ１（図２０参照）は、金属導体からある程度離れた位置で良好な通信特性を発揮し、アンテナ装置１００Ｃ３（図２０参照）は、金属導体にある程度近い位置で良好な通信特性を発揮する。このような通信特性は、整合回路１５０を調整することによって実現することができる。
【００８７】
以上より、導体との距離に応じた所望の通信特性が得られるアンテナ装置１００、１００Ａ、１００Ｂ、１００Ｃ、１００Ｃ１、１００Ｃ２、１００Ｃ３、１００Ｄ（以下、アンテナ装置１００等と称す）を提供することができる。
【００８８】
また、アンテナ装置１００等は、グランドプレーンを含まない。例えば、パッチアンテナの場合には、基板の一方の面に配置されるアンテナエレメントと、基板の他方の面に配置されるグランドプレーンとを有するため、グランドプレーン側が金属導体に当接する場合には通信特性に殆ど影響が生じない。しかしながら、アンテナエレメント側が金属導体に当接すると、アンテナエレメントは、金属導体とグランドプレーンに挟まれた状態になるため、通信できなくなる。
【００８９】
これに対して、アンテナ装置１００等は、グランドプレーンを含まないため、どちらの面が金属導体に当接するような状態になっても、良好な通信特性を発揮することができる。例えば、アンテナ装置１００等がＩｏＴのセンサデバイスに取り付けられて様々な場所にランダムに配置されても、良好な通信特性を維持することができる。
【００９０】
また、アンテナ装置１００等のループアンテナ１１０等は、線状のアンテナエレメントであるため、三次元的に折り曲げる構成に対応しやすい。このため、様々なデバイス又は金属部材等の様々な部位に貼り付けることが可能である。
【００９１】
また、アンテナ装置１００等のループアンテナ１１０等は、線状のアンテナエレメントであるため、例えば、自動車のガラスのように人間の視界に入る部材に取り付けられる場合に、視野を遮ることなく、目立たない構成で取り付けることができる。
【００９２】
また、アンテナ装置１００等は、整合回路１５０のインピーダンスを調整することにより、ループアンテナ１１０等及びループアンテナ１２０等の形状及び／又は長さ等を変更することなく、周波数のチューニング及び／又はインピーダンスの調整が可能である。
【００９３】
また、アンテナ装置１００等は、厚さが非常に薄いループアンテナ１１０等及びループアンテナ１２０等を利用できるので、様々なデバイス又は部材等に取り付けても、デバイス又は部材の形状及び外寸に殆ど変化が生じず、様々な用途に利用することができる。
【００９４】
また、アンテナ装置１００Ｃ１、１００Ｃ２、１００Ｃ３（図１９及び図２０参照）のように、整合回路１５１、１５２、１５３のインダクタンス又はキャパシタンスを調整することにより、金属導体から離れた空気中での良好な通信特性（アンテナ装置１００Ｃ１）、金属導体の近くでの良好な通信特性（アンテナ装置１００Ｃ３）、金属導体の近くと金属導体から離れた空気中との両方での良好な通信特性（アンテナ装置１００Ｃ２）を自在に設定することができる。
【００９５】
なお、以上では、ループアンテナ１１０、１１０Ｃ、１１０Ｄ及びループアンテナ１２０、１２０Ｃ、１２０Ｄの長さが通信周波数（２．４ＧＨｚ）における１波長の電気長に対応する長さに設定されている形態について説明したが、通信周波数が２．４ＧＨｚ以外の周波数である場合には、その周波数における１波長の電気長に対応する長さに設定すればよい。
【００９６】
また、以上では、ループアンテナ１１０、１１０Ｃ、１１０Ｄ及びループアンテナ１２０、１２０Ｃ、１２０Ｄの長さが通信周波数における１波長の電気長に対応する長さに設定されている形態について説明したが、通信周波数におけるＮ波長の電気長に対応する長さに設定すればよい。Ｎは、１以上の整数である。
【００９７】
また、以上では、接続部１３０、１４０が、接続点１１５及び１１６でループアンテナ１１０に接続され、接続点１２１、１２２でループアンテナ１２０に接続される形態について説明した。
【００９８】
接続点１１５及び１１６は、ループアンテナ１１０の端部１１１、１１２から通信周波数（２．４ＧＨｚ）における四半波長の電気長に対応する長さの位置にあり、接続点１２１、１２２は、Ｘ軸方向における位置が接続点１１５及び１１６と等しく、対応点１２３及び１２４から通信周波数（２．４ＧＨｚ）における四半波長の電気長に対応する長さの位置にある。
【００９９】
例えば、Ｎが２の場合には、ループアンテナ１１０、１１０Ｃ、１１０Ｄ及びループアンテナ１２０、１２０Ｃ、１２０Ｄの長さが通信周波数における２波長の電気長に対応する長さに設定される。この場合には、接続点１１５及び１１６の位置は、ループアンテナ１１０の端部１１１、１１２から通信周波数（２．４ＧＨｚ）における四半波長の電気長のＭ倍に対応する長さの位置にあればよい。Ｍは、１、２、又は３である。同様に、接続点１２１、１２２は、対応点１２３から通信周波数（２．４ＧＨｚ）における四半波長の電気長のＭ倍に対応する長さの位置にあればよい。Ｍは、１、２、又は３である。
【０１００】
また、例えば、Ｎが３の場合には、ループアンテナ１１０、１１０Ｃ、１１０Ｄ及びループアンテナ１２０、１２０Ｃ、１２０Ｄの長さが通信周波数における３波長の電気長に対応する長さに設定される。この場合には、Ｍは、１、２、３、４、又は５であればよく、これは、接続点１２１、１２２についても同様である。
【０１０１】
また、以上で説明したアンテナ装置１００、１００Ａ、１００Ｂ、１００Ｃ、１００Ｄの他に、図２７乃至図３０に示すように変形することができる。図２７乃至図３０は、実施の形態の変形例のアンテナ装置１００Ｅ〜１００Ｈを示す図である。なお、図２７乃至図３０では、給電点になる一対の端部が位置する部分に、交流の記号を示す。
【０１０２】
図２７に示すように、アンテナ装置１００Ｅは、円形のループアンテナ１１０Ｅ及び１２０Ｅを有する。ループアンテナ１１０Ｅ及び１２０Ｅは、互いに等しい直径を有し、平面視で中心同士を合わせた状態で、Ｚ軸方向に伸延する接続部１３０Ｅ、１４０Ｅによって接続されている。給電点は、ループアンテナ１１０に設けられる。
【０１０３】
このようなアンテナ装置１００Ｅは、例えば、基板の一方の面にループアンテナ１１０Ｅを配置し、他方の面にループアンテナ１２０Ｅを配置し、接続部１３０Ｅ、１４０Ｅは、基板を貫通するビアによって実現すればよい。
【０１０４】
また、図２８に示すように、アンテナ装置１００Ｆは、平面視で長方形状のループアンテナ１１０Ｆ及び１２０Ｆを含む。給電点を有するループアンテナ１１０Ｆは、ループアンテナ１２０Ｆの外側に位置し、中心同士を合わせた状態で、接続部１３０Ｆ、１４０Ｆによって接続されている。このようなアンテナ装置１００Ｆは、基板の一方の面に配置することができる。
【０１０５】
また、図２９に示すように、アンテナ装置１００Ｇは、ループアンテナ１１０Ｇ、１２０Ｇ、接続部１３０Ｇ、１４０Ｇ、及び基板１０１Ｇを含む。基板１０１Ｇは、図１に示す基板１０１と同様である。
【０１０６】
給電点を有し、矩形状のループアンテナ１１０Ｇは、基板１０１ＧのＺ軸正方向側の表面に配置され、矩形状のループアンテナ１２０Ｇは、基板１０１Ｇの側面に配置される。ループアンテナ１１０Ｇと１２０Ｇは、接続部１３０Ｇ、１４０Ｇによって接続される。このように、ループアンテナ１２０Ｇを基板１０１Ｇの側面に設けてもよい。また、ループアンテナ１１０Ｇと１２０Ｇの位置を入れ替えて、給電点を有するループアンテナ１１０Ｇを基板１０１Ｇの側面に設けてもよい。
【０１０７】
また、図３０に示すように、アンテナ装置１００Ｈは、ループアンテナ１１０Ｈ、１２０Ｈ、接続部１３０Ｈ、１４０Ｈを含む。ループアンテナ１１０Ｈ、１２０Ｈは、平面視で矩形環状であり、かつ、各辺がミアンダ状に繰り返し折り曲げられている。給電点を有するループアンテナ１１０Ｈは、一例として、ループアンテナ１２０Ｈの外側に配置されている。このようなアンテナ装置１００Ｈは、基板の一方の面に配置することができる。
【０１０８】
また、上述したアンテナ装置１００、１００Ａ、１００Ｂ、１００Ｃ、１００Ｃ１、１００Ｃ２、１００Ｃ３、１００Ｄ、１００Ｅ、１００Ｆ、１００Ｇ、１００Ｈは、通信部を有する電子機器に取り付けることができる。以下では、一例として、アンテナ装置１００を含む電子機器について説明する。
【０１０９】
図３１は、電子機器５００を示す図である。電子機器５００は、配線基板５０５、アンテナ装置１００、ＤＵＰ(Duplexer)５１０、ＬＮＡ(Low  Noise  Amplifier)／ＰＡ(Power  Amplifier)５２０、変調／復調器５３０、ＣＰＵ(Central  Processing  Unit：中央演算処理装置)チップ５４０、及び取得部５５０を含む。
【０１１０】
配線基板５０５は、電子機器５００の筐体の内部に配設される。ＤＵＰ５１０、ＬＮＡ／ＰＡ５２０、変調／復調器５３０、ＣＰＵチップ５４０、及び取得部５５０は、配線基板５０５に実装される。
【０１１１】
アンテナ装置１００は、配線基板５０５のＤＵＰ５１０、ＬＮＡ／ＰＡ５２０、変調／復調器５３０、ＣＰＵチップ５４０、及び取得部５５０が実装される面に配設されていてもよいし、反対側の面に配設されてもよい。
【０１１２】
アンテナ装置１００は、ＤＵＰ５１０に接続されており、ＤＵＰ５１０、ＬＮＡ／ＰＡ５２０、変調／復調器５３０、及びＣＰＵチップ５４０は、配線５６５を介して接続されている。また、取得部５５０は、ＣＰＵチップ５４０に接続されている。
【０１１３】
ＤＵＰ５１０は、アンテナ装置１００の送信又は受信の切り替えを行う。ＤＵＰ５１０は、フィルタとしての機能を有する。ＬＮＡ／ＰＡ５２０は、送信波及び受信波の電力の増幅を行う。変調／復調器５３０は、送信波の変調と受信波の復調を行う。ＣＰＵチップ５４０は、タブレットコンピュータ５００の通信処理を行う通信用プロセッサとしての機能と、アプリケーションプログラムを実行するアプリケーションプロセッサとしての機能とを有する。なお、ＣＰＵチップ５４０は、送信するデータ又は受信したデータ等を格納する内部メモリを有する。
【０１１４】
なお、配線５６０、５６５は、例えば、配線基板５０５の表面の銅箔をパターニングすることによって形成される。アンテナ装置１００が配線５６０、５６５と同じ面に配置される場合には、ループアンテナ１１０、１２０、接続部１３０、１４０は、一枚の銅箔をパターニングすることによって形成することができる。また、図３１では図示を省くが、アンテナ装置１００とＤＵＰ５１０との間には、インピーダンス特性を調整するための整合回路が設けられる。
【０１１５】
取得部５５０は、電子機器５００の周囲の情報を取得する情報取得部の一例であり、例えば、気温若しくは湿度等の情報を取得（検出）するセンサ、又は、画像を情報として取得するカメラ等の様々なものであってよい。また、取得部５５０は、電子機器５００がウェアラブル型で人体に取り付けられる場合には、体温、脈拍、心拍数等の情報を検出するセンサであってもよい。
【０１１６】
このような電子機器５００は、ＩｏＴ用のセンサデバイス又は画像取得装置等として用いることができる。電子機器５００の用途等に応じて、アンテナ装置１００の整合回路１５０でループアンテナ１１０、１２０のインピーダンスを最適化した上で、アンテナ装置１００を電子機器５００に実装すればよい。
【０１１７】
以上、本発明の例示的な実施の形態のアンテナ装置、及び、電子機器について説明したが、本発明は、具体的に開示された実施の形態に限定されるものではなく、特許請求の範囲から逸脱することなく、種々の変形や変更が可能である。
【０１１８】
以上の実施の形態に関し、さらに以下の付記を開示する。
（付記１）
給電される第１端部及び第２端部を有し、通信周波数における波長のＮ（Ｎは１以上の整数）倍に対応する第１長さを有する第１ループアンテナと、
前記波長のＮ倍に対応する第２長さを有する第２ループアンテナと、
前記第１ループアンテナの前記第１端部から前記通信周波数における四半波長のＭ（Ｍは１以上の整数）倍に対応する第３長さの位置において、前記第１ループアンテナと前記第２ループアンテナとを接続する第１接続導体と、
前記第１ループアンテナの前記第２端部から前記第３長さの前記第１接続導体とは異なる位置において、前記第１ループアンテナと前記第２ループアンテナとを接続する第２接続導体と
を含む、アンテナ装置。
（付記２）
前記第１ループアンテナと前記第２ループアンテナとは、近接して配置される、付記１記載のアンテナ装置。
（付記３）
前記第１ループアンテナ及び前記第２ループアンテナは、中心同士を合わせて配置される、付記１又は２記載のアンテナ装置。
（付記４）
前記第１ループアンテナ及び前記第２ループアンテナは、同一平面上に配置され、前記第１ループアンテナは、前記第２ループアンテナよりも外側又は内側に配設される、付記１乃至３のいずれか一項記載のアンテナ装置。
（付記５）
前記第１ループアンテナ及び前記第２ループアンテナは、互いに平行な２つの平面上にそれぞれ配置される、付記１乃至３のいずれか一項記載のアンテナ装置。
（付記６）
前記第１長さは、前記第２長さと等しい、付記５記載のアンテナ装置。
（付記７）
前記第２ループアンテナ及び前記第１接続導体を接続する第１接続点と、前記第２ループアンテナ及び前記第２接続導体を接続する第２接続点とは、前記第１端部及び前記第２端部の中点と、前記第１ループアンテナの中心とを通る直線を対称軸として線対称な位置に配置される、付記１乃至６のいずれか一項記載のアンテナ装置。
（付記８）
前記第１ループアンテナ及び前記第２ループアンテナは、円形又は多角形である、付記１乃至７記載のアンテナ装置。
（付記９）
前記第１ループアンテナ及び前記第２ループアンテナが配置される基板をさらに含む、付記１乃至８記載のアンテナ装置。
（付記１０）
前記Ｎが１の場合には前記Ｍは１であり、前記Ｎが２の場合には前記Ｍは１、２、又は３であり、前記Ｎが３の場合には前記Ｍは１、２、３、４、又は５である、付記１乃至９記載のアンテナ装置。
（付記１１）
アンテナ装置と、
情報を取得する情報取得部と、
前記アンテナ装置を通じてネットワーク経由で他の装置と通信し、前記情報取得部によって取得された情報を前記他の装置に送信する通信部と
を含む電子機器であって、
前記アンテナ装置は、
給電される第１端部及び第２端部を有し、通信周波数における波長のＮ（Ｎは１以上の整数）倍に対応する第１長さを有する第１ループアンテナと、
前記波長のＮ倍に対応する第２長さを有する第２ループアンテナと、
前記第１ループアンテナの前記第１端部から前記通信周波数における四半波長のＭ（Ｍは１以上の整数）倍に対応する第３長さの位置において、前記第１ループアンテナと前記第２ループアンテナとを接続する第１接続導体と、
前記第１ループアンテナの前記第２端部から前記第３長さの前記第１接続導体とは異なる位置において、前記第１ループアンテナと前記第２ループアンテナとを接続する第２接続導体と
を有する、電子機器。
【符号の説明】
【０１１９】
１００、１００Ａ、１００Ｂ、１００Ｃ、１００Ｃ１、１００Ｃ２、１００Ｃ３、１００Ｄ、１００Ｅ、１００Ｆ、１００Ｇ、１００Ｈ  アンテナ装置
１０１  基板
１１０、１１０Ｃ、１１０Ｄ、１２０、１２０Ｃ、１２０Ｄ  ループアンテナ
１１１、１１１Ｃ、１１１Ｄ、１１２、１１２Ｃ、１１２Ｄ  端部
１１３、１１３Ｃ、１１４、１１４Ｃ  端部
１１５、１１６  接続点
１２１、１２２  接続点
１３０、１４０  接続部
１５０  整合回路
【図１】
2018201080.tif 000003
【図２】
2018201080.tif 000004
【図３】
2018201080.tif 000005
【図４】
2018201080.tif 000006
【図５】
2018201080.tif 000007
【図６】
2018201080.tif 000008
【図７】
2018201080.tif 000009
【図８】
2018201080.tif 000010
【図９】
2018201080.tif 000011
【図１０】
2018201080.tif 000012
【図１１】
2018201080.tif 000013
【図１２】
2018201080.tif 000014
【図１３】
2018201080.tif 000015
【図１４】
2018201080.tif 000016
【図１５】
2018201080.tif 000017
【図１６】
2018201080.tif 000018
【図１７】
2018201080.tif 000019
【図１８】
2018201080.tif 000020
【図１９】
2018201080.tif 000021
【図２０】
2018201080.tif 000022
【図２１】
2018201080.tif 000023
【図２２】
2018201080.tif 000024
【図２３】
2018201080.tif 000025
【図２４】
2018201080.tif 000026
【図２５】
2018201080.tif 000027
【図２６】
2018201080.tif 000028
【図２７】
2018201080.tif 000029
【図２８】
2018201080.tif 000030
【図２９】
2018201080.tif 000031
【図３０】
2018201080.tif 000032
【図３１】
2018201080.tif 000033